【事件の表示】
　特願２０１４−１７５５９３「遊技機」拒絶査定不服審判事件〔平成２６年１２月２５日出願公開、特開２０１４−２３９９７７〕について、次のとおり審決する。
【結　論】
　本件審判の請求は、成り立たない。
【理　由】
第１　手続の経緯
　本願は、平成２０年１２月１９日に出願した特願２００８−３２４７６７号の一部を平成２６年８月２９日に新たな特許出願にしたものであって、平成２７年１０月１６日付けで拒絶理由通知がされ、これに対し平成２７年１２月２２日付けで手続補正がなされたが、平成２８年６月１０日付け（発送日：６月１４日）で拒絶査定がなされ、これに対して、平成２８年９月１２日付けで拒絶査定不服審判の請求がなされるとともに手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１の記載についての補正であり、平成２７年１２月２２日付けの手続補正と本件補正の特許請求の範囲の請求項１の記載はそれぞれ、以下のとおりである（下線部は、補正箇所を示す。）。
（補正前：平成２７年１２月２２日付け手続補正）
「【請求項１】
　遊技盤上の遊技領域に発射された遊技球が第１始動口および当該第１始動口とは異なる第２始動口へ入賞する毎に、大当たり抽選に用いられる乱数を取得する取得手段と、
　前記取得手段によって乱数が取得されると、当該乱数が用いられる前記大当たり抽選で大当たりとなるか否かを事前判定する事前判定手段と、
　前記取得手段によって取得された乱数に基づいて、予め定められた所定の順序にしたがって順次前記大当たり抽選をおこなう抽選手段と、
　前記抽選手段によって前記大当たり抽選がおこなわれる毎に、特別図柄を変動させてから当該大当たり抽選の抽選結果をあらわすように停止させる特別図柄制御手段と、
　所定の演出を実行可能な演出実行手段と、
　を備え、
　前記演出実行手段は、
　前記特別図柄の複数回の変動を跨いで継続可能な継続演出と、大当たりとなることを報知する大当たり報知演出とを実行可能であり、
　前記事前判定手段によって大当たりとなると判定された場合、当該大当たりとなる乱数が用いられた前記大当たり抽選による前記特別図柄の変動（以下「大当たり変動」という）までの複数回の変動を跨ぐ前記継続演出を実行可能であるとともに、当該継続演出を実行した場合には、前記大当たり変動において前記大当たり報知演出を実行可能である一方、
　前記事前判定手段によって大当たりとならないと判定された場合、当該大当たりとならない乱数が用いられた前記大当たり抽選による前記特別図柄の変動（以下「非大当たり変動」という）までの複数回の変動を跨ぐ前記継続演出を実行可能であるとともに、当該継続演出を実行した場合には、前記非大当たり変動において前記大当たり報知演出を実行不可能であることを特徴とする遊技機。」
（補正後：本件補正である平成２８年９月１２日付け手続補正）
「【請求項１】
　遊技盤上の遊技領域に発射された遊技球が第１始動口および当該第１始動口とは異なる第２始動口へ入賞する毎に、大当たり抽選に用いられる乱数を取得する取得手段と、
　前記取得手段によって乱数が取得されると、当該乱数が用いられる前記大当たり抽選で大当たりとなるか否かを事前判定する事前判定手段と、
　前記取得手段によって取得された乱数に基づいて、予め定められた所定の順序にしたがって順次前記大当たり抽選をおこなう抽選手段と、
　前記抽選手段によって前記大当たり抽選がおこなわれる毎に、特別図柄を変動させてから当該大当たり抽選の抽選結果をあらわすように停止させる特別図柄制御手段と、
　所定の演出を実行可能な演出実行手段と、
　を備え、
　
前記特別図柄制御手段は、
　
前記特別図柄の停止後に所定のインターバル期間が経過してから次の前記特別図柄の変動をおこない、
　前記演出実行手段は、
　前記特別図柄の複数回の変動を跨いで継続可能な継続演出と、大当たりとなることを報知する大当たり報知演出とを実行可能であり、
　前記事前判定手段によって大当たりとなると判定された場合、当該大当たりとなる乱数が用いられた前記大当たり抽選による前記特別図柄の変動（以下「大当たり変動」という）までの複数回の変動
および当該複数回の変動間の前記インターバル期間において継続する
　前記事前判定手段によって大当たりとならないと判定された場合、当該大当たりとならない乱数が用いられた前記大当たり抽選による前記特別図柄の変動（以下「非大当たり変動」という）までの複数回の変動
および当該複数回の変動間の前記インターバル期間において継続する
２．補正の適否
　本件補正により請求項１の記載は、特別図柄制御手段について、「特別図柄の停止後に所定のインターバル期間が経過してから次の特別図柄の変動をおこな」う点を限定し、継続演出について、「複数回の変動を跨ぐ」とあったものを、「複数回の変動および当該複数回の変動間のインターバル期間において継続する」と限定している。
　そして、補正後の請求項１に記載された発明は、補正前の特許請求の範囲に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、明細書の段落［００３０］、［０１５８］−［０１６１］、図１５等の記載に基づいており、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　補正後の請求項１に係る発明（以下、「本願補正発明」という。）は、上記１．の補正の概要において示した次に特定されるとおりのものである（Ａ〜Ｉについては、発明特定事項を分説するため当審で付与した。）。
「Ａ　遊技盤上の遊技領域に発射された遊技球が第１始動口および当該第１始動口とは異なる第２始動口へ入賞する毎に、大当たり抽選に用いられる乱数を取得する取得手段と、
Ｂ　前記取得手段によって乱数が取得されると、当該乱数が用いられる前記大当たり抽選で大当たりとなるか否かを事前判定する事前判定手段と、
Ｃ　前記取得手段によって取得された乱数に基づいて、予め定められた所定の順序にしたがって順次前記大当たり抽選をおこなう抽選手段と、
Ｄ　前記抽選手段によって前記大当たり抽選がおこなわれる毎に、特別図柄を変動させてから当該大当たり抽選の抽選結果をあらわすように停止させる特別図柄制御手段と、
Ｅ　所定の演出を実行可能な演出実行手段と、を備え、
Ｆ　前記特別図柄制御手段は、
前記特別図柄の停止後に所定のインターバル期間が経過してから次の前記特別図柄の変動をおこない、
Ｇ　前記演出実行手段は、
前記特別図柄の複数回の変動を跨いで継続可能な継続演出と、大当たりとなることを報知する大当たり報知演出とを実行可能であり、
Ｈ　前記事前判定手段によって大当たりとなると判定された場合、当該大当たりとなる乱数が用いられた前記大当たり抽選による前記特別図柄の変動（以下「大当たり変動」という）までの複数回の変動および当該複数回の変動間の前記インターバル期間において継続する前記継続演出を実行可能であるとともに、当該継続演出を実行した場合には、前記大当たり変動において前記大当たり報知演出を実行可能である一方、
Ｉ　前記事前判定手段によって大当たりとならないと判定された場合、当該大当たりとならない乱数が用いられた前記大当たり抽選による前記特別図柄の変動（以下「非大当たり変動」という）までの複数回の変動および当該複数回の変動間の前記インターバル期間において継続する前記継続演出を実行可能であるとともに、当該継続演出を実行した場合には、前記非大当たり変動において前記大当たり報知演出を実行不可能であることを特徴とする遊技機。」
（２）刊行物に記載された事項
（２−１）刊行物１
原査定の拒絶の理由に引用された本願の出願日前に頒布された刊行物である特開２００４―１３５９９９号公報（以下、「刊行物１」という。）には、図面と共に次の事項が記載されている（下線は当審で付した。）。
（ア）「【００１６】さらにこの遊技機本体３は、ほぼ正方形状の開口部が中央上部に形成されている板状の前面枠５を備え、この前面枠５が前記外枠２にヒンジ部材４を介して開閉可能に枢着されている。また、
遊技機本体３には、遊技球が転動流下する遊技領域１４が形成される遊技盤７が
取付けられており、
（イ）「【００１９】さらに、この図柄表示領域１７の中央位置には特別図柄Ａ、特別図柄Ｂ、及び特別図柄Ｃがそれぞれ横方向で一列状に表示される。この特別図柄Ａ，Ｂ，Ｃ（選出図柄）は、それぞれ「０」〜「９」の数字からなると共に、各特別図柄Ａ，Ｂ，Ｃは、前記の数字が順に並んだ特別図柄列を構成している。そして、後述する
特別図柄始動条件が成立すると、特別図柄Ａ，Ｂ，Ｃを変動後停止して特別図柄Ａ，Ｂ，Ｃの組合せ態様を確定表示する一連の図柄生成行程が表示実行される。
（ウ）「【００２４】また、センターケース１５の直下位置には、
内部を特別図柄始動領域２０とする普通電動役物１８が配設されている。
（エ）「【００２７】図３は、本発明にかかる
パチンコ遊技機１
主制御基板６０には、パチンコ遊技機１の遊技作動等を制御するための基板回路が設けられており、この基板回路上には主制御用中央制御装置ＣＰＵが配設されている。この主制御用中央制御装置ＣＰＵは、遊技に関する統括的な制御を処理実行するものであって、この主制御用中央制御装置ＣＰＵには、演算処理に用いる動作プログラムを格納する記憶装置ＲＯＭと、必要なデータを随時読み書きできる記憶装置ＲＡＭとが、データを読み書きするアドレスを指定する情報を一方的に伝えるアドレスバス（図示省略）と、データのやり取りを行うデータバス（図示省略）を介して接続され、主制御基板６０の基板回路を構成している。この記憶装置ＲＯＭには、制御プログラムや、各種乱数テーブル等の固定データが格納されている。ここで、この乱数テーブルとしては、大当り特別乱数テーブル、大当り図柄乱数テーブル、ハズレ図柄乱数テーブル　、リーチ乱数テーブル、リーチ図柄乱数テーブル、変動パターン選択乱数テーブル、当り普通乱数テーブル、ハズレ普通図柄乱数テーブル等があり、
所定の要件が充足されると主制御用中央制御装置ＣＰＵが各乱数テーブルから乱数値を取得する。
（オ）「【００３８】ここで主制御用中央制御装置ＣＰＵ、及び後述する各制御基板６２，６３，６４，６５に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。なお、この演算ユニットの連成数によって、中央制御装置ＣＰＵの演算処理能力が決まる。そして、この
主制御用中央制御装置ＣＰＵは、所定の形式で生成したデータ又はコマンドを各制御基板６２，６３，６４，６５にそれぞれ出力し、各制御基板６２，６３，６４，６５の中央制御装置ＣＰＵがこのデータ等に従って所定の制御を処理実行することとなる。
【００３９】上記の
図柄表示制御基板６２
【００４０】ここで、
図柄表示制御基板６２は、主制御基板６０から入力ポートを介して入力されたデータ又はコマンドを図柄制御用中央制御装置ＣＰＵにおいて演算処理し、所定の図柄表示態様を演出する図柄データを、出力ポートを介して表示用ドライバに出力する。
この表示用ドライバが、前記図柄データに従って図柄表示装置１６の図柄表示領域１７に所定の図柄を所定態様で表出させる。
【００４１】上記の
音源制御基板６３
【００４２】上記の
光源制御基板６４
（カ）「【００４４】次に、本発明の制御態様をパチンコ遊技機１の作動に従って説明する。
ここで
、図４に示されるように、パチンコ遊技機１の制御処理は、メインルーチンと複数のサブルーチンとで構成されている。
メインルーチンがスタートすると、
主制御基板６０の主制御用中央制御装置ＣＰＵは、
【００４５】一方、電源投入時でない場合は、次にステップ３の出力処理、ステップ４の入力処理、ステップ５の乱数作成処理、ステップ６の初期値乱数更新処理、ステップ７の遊技枠処理、ステップ８のスイッチ処理、ステップ９の
始動口処理、
図柄処理
を実行し、
（キ）「【００４６】ここで、ステップ９（図４参照）の
始動口処理
遊技球が発射装置
より遊技領域１４に発射され、この遊技球が特別図柄始動領域２０を通過すると、特別図柄始動スイッチＳ１がＯＮ作動する。そして、主制御基板６０の主制御用中央制御装置ＣＰＵが、特別図柄始動スイッチＳ１のＯＮ作動を認識すると、これを契機として、記憶装置ＲＡＭに累積して記憶保持される特別図柄始動記憶の数
を判定する。
【００４７】一方、
特別図柄始動記憶数ＵがＵ≦４であると、記憶装置ＲＯＭに格納されている大当り特別乱数テーブル
から、大当り特別乱数値Ｋ
をそれぞれ取得し
【００４８】次に、現在の遊技状態が確変遊技状態であるか、又は通常確率遊技状態であるかを判定する。ここで、確変遊技状態と判定した場合は、
取得した大当り特別乱数値Ｋを判定するための高確率用判定データ
低確率用判定データ
【００４９】次に、
大当り特別乱数値Ｋが、セットした判定データと同一であるか否かを判定する。
大当り特別乱数値Ｋが判定データと同一であると、大当りフラグをＯＮとする。この大当りフラグは、取得し、判定した大当り特別乱数値Ｋの内容が「大当り」であることを示すものである。そして、大当りフラグをＯＮとすると、連続予告演出動作を実行するか否かを定める連続予告選択乱数値Ｊを連続予告選択乱数テーブルから取得し、格納する。そして、大当り用判定データをセットする。
【００５０】一方、
大当り特別乱数値Ｋの内容が「大当り」でない場合は、取得したリーチ乱数値Ｎを判定し、リーチ変動作動を実行するか否かを決める。
リーチ変動作動を実行することとし、リーチフラグをＯＮとした後、上述の連続予告選択乱数値Ｊを取得・格納し、ハズレ用判定データをセットする
【００５１】
大当り用又はハズレ用判定データをセットすると、次に、連続予告演出動作を実行するか否かを判定する。すなわち、これら判定用データと取得した連続予告選択乱数値Ｊとが一致するか否かを判定する。ここで、連続予告選択乱数値Ｊが判定用データと一致した場合は、連続予告演出動作を実行すると決定する。
（ク）「【００５３】次に、ステップ１１（図４参照）の
図柄処理
主制御基板６０の主制御用中央制御装置ＣＰＵは、特別図柄Ａ，Ｂ，Ｃが変動中であるか判定し、変動中であれば所定の変動時間経過後に、変動停止コマンドを図柄表示制御基板６２に出力して特別図柄Ａ，Ｂ，Ｃを停止して、図柄処理を終了する。
【００５４】一方、
特別図柄Ａ，Ｂ，Ｃが変動中でない場合は、
記憶装置ＲＡＭに特別図柄始動記憶が記憶保持されているか否かを判定し、記憶保持されている場合（特別図柄始動記憶数Ｕ≧１）は記憶保持した特別図柄始動記憶を記憶順に一個記憶消化し、
特別図柄始動記憶が記憶保持されていない場合（Ｕ＝０）は、そのまま処理を続行する。
【００５５】
そして、次に主制御基板６０の主制御用中央制御装置ＣＰＵは、大当りフラグがＯＮであるか否かを判定する。
大当りフラグがＯＮであると変動パターン選択処理に移行する。
（ケ）「【００５６】次に、
変動パターン選択処理
まず、図７Ａに示されるように、後述の予告実行回数ＨがＨ＞０であるか否かを判定し、Ｈ＝０である場合は、次に連続予告フラグがＯＮであるか否かを判定する。ここで、連続予告フラグがＯＦＦである場合は、図７Ｂに示されるように、予告実行フラグをＯＦＦとし、変動パターン選択乱数テーブルから変動パターン選択乱数値Ｇを取得・格納する。
【００５７】そして、次に、
大当りフラグがＯＮであるか否かを判定し、
変動パターンを選択する。
変動パターンを選択する。
変動パターンを選択する。
【００５８】そして、当該図柄処理で実行することとなる
図柄生成行程
の変動パターンとして選択した変動パターンをセットし、変動パターン選択処理を終了する。
（コ）「【００６８】ここで、本発明にかかる、予告演出動作を予め定められた実行回数を限度として、順次実行する一連の連続予告演出動作を説明する。例えば、
図９は、
当り結果が割り当てられた特別図柄始動記憶オ
特別図柄始動記憶オが連続予告演出動作を実行する内容が割り当てられると、特別図柄始動記憶イに基づく図柄生成行程イ’実行中に一回目の予告演出動作（Ｉ）を実行する。そして、順次、特別図柄始動記憶ウ，エ，オに基づく図柄生成行程ウ’，エ’，オ’を実行する毎に二回目、三回目、四回目の予告演出動作（ＩＩ），（ＩＩＩ），（ＩＶ）を実行する。この一連の予告演出動作（Ｉ）〜（ＩＶ）により連続予告演出動作が構成される。
（サ）「【００７１】
変動パターン選択処理を終了すると、
主制御基板６０の主制御用中央制御装置ＣＰＵは、変動パターン選択処理によりセットした変動パターンのデータを図柄表示制御基板６２に出力する。
さらに、特別図柄Ａ，Ｂ，Ｃの変動時間をセットする。
（シ）「【００７２】次に、これまでの処理を実行すると、
主制御基板６０の主制御用中央制御装置ＣＰＵは、特別図柄Ａ，Ｂ，Ｃを変動開始する変動開始コマンドを図柄表示制御基板６２に出力する。図柄表示制御基板６２は、かかるコマンドが入力されると、記憶装置ＲＯＭや記憶装置ＲＡＭの記憶データを用いて図柄制御用中央制御装置ＣＰＵにて演算処理を行い、その結果に従って表示用ドライバを介して図柄表示装置１６の図柄表示領域１７で特別図柄Ａ，Ｂ，Ｃを変動表示を開始して、取得した大当り特別乱数値Ｋの当り・ハズレ結果に従って特別図柄Ａ，Ｂ，Ｃの組合せ態様を確定表示する図柄生成行程を実行する。そして、所定の変動時間経過後に変動停止コマンドを出力して特別図柄Ａ，Ｂ，Ｃを停止し、
（ス）「【００８５】次に、図２及び図１０Ａ，Ｂに従って、特別図柄始動記憶数Ｕの推移と共に、遊技領域１４及び図柄表示領域１７での演出態様を説明する。なお、特別図柄始動記憶数Ｕは、特別図柄始動記憶数表示部１９を模した、四個の○（ランプが点灯している状態は●）で示している（図１０Ａ，Ｂ参照）。
【００８６】図１０Ａ（ａ）に示されるように、
図柄生成行程実行中に、記憶保持される特別図柄始動記憶数Ｕが四個となり、次に、連続予告演出動作にかかる一番目の図柄生成行程が実行される際には、
特別図柄始動記憶数Ｕが三個（Ｕ＝３）となって特別図柄Ａ，Ｂ，Ｃが変動開始される。
一回目の予告演出動作が実行開始される。
【００８７】そして、
特別図柄Ａ，Ｂ，Ｃが順次停止し、
連続予告演出動作にかかる一回目の予告演出動作が終了する。
【００８８】次に、図１０Ａ（ｅ）に示されるように、
三個の特別図柄始動記憶数Ｕが一個減算されて特別図柄始動記憶数Ｕが二個となると、同時に特別図柄Ａ，Ｂ，Ｃが変動開始し、新たな図柄生成行程が実行開始される。
二回目の予告演出動作が実行開始される。
【００８９】そして、
特別図柄Ａ，Ｂ，Ｃが順次停止し、
連続予告演出動作にかかる二回目の予告演出動作が終了する。
【００９０】次に、図１０Ｂ（ｈ）に示されるように、
二個の特別図柄始動記憶数Ｕが一個減算されて特別図柄始動記憶数Ｕが一個となると、同時に特別図柄Ａ，Ｂ，Ｃが変動開始し、新たな図柄生成行程が実行開始される。
三回目の予告演出動作が実行開始される。
【００９１】そして、
特別図柄Ａ，Ｂ，Ｃが順次停止し、
連続予告演出動作にかかる三回目の予告演出動作が終了する。
【００９２】さらに、図１０Ｂ（ｋ）に示されるように、
一個の特別図柄始動記憶数Ｕが一個減算されて特別図柄始動記憶数Ｕが０個となると、同時に特別図柄Ａ，Ｂ，Ｃが変動開始し、新たな図柄生成行程が実行開始される。
四回目の予告演出動作が実行開始される。
【００９３】そして、
特別図柄Ａ，Ｂ，Ｃが順次停止し、
連続予告演出動作にかかる四回目の予告演出動作が終了する。これにより、連続予告演出動作が完了する。
（セ）「【０１１０】＜第四実施形態例＞
さらに、他の実施形態例を図１３イ〜ニに従って説明する。
本実施形態例にあっては、前面枠５の表面のうち、遊技領域１４との境界線に沿った位置に、複数の予告用ランプ４０〜４３が円弧状に列設されている。さらに詳述すると、前面枠５のほぼ頂上位置に、左から順に、第一予告用ランプ４０、第二予告ランプ４１、第三予告用ランプ４２、及び第四予告用ランプ４３が配設されている。
【０１１１】かかる構成にあって、
連続予告演出動作にかかる一番目の図柄生成行程が実行開始されると、
第一予告用ランプ４０のみが点滅開始される。
二番目の図柄生成行程が実行開始されると、
第一予告用ランプ４０と第二予告用ランプ４１が点滅する。
【０１１２】さらに、
三番目の図柄生成行程が実行開始されると、
第一予告用ランプ４０、第二予告用ランプ４１、及び第三予告用ランプ４２とが点滅開始する。
【０１１３】そして、
四番目の図柄生成行程が実行開始されると、
第一予告用ランプ４０、第二予告用ランプ４１、第三予告用ランプ４２、及び第四予告用ランプ４３とが点滅開始し、
（ソ）「【０１１６】また、本発明にかかる予見演出動作としては、いわゆる
大当り予告
が提案される。」
（タ）図９には、連続予告演出動作の実行態様を示すタイミングチャートが記載され、「ア’」、「イ’」、「ウ’」、「エ’」及び「オ’」のそれぞれが特別図柄の変動のタイミングを示していること、「ア’」、「イ’」、「ウ’」、「エ’」及び「オ’」のそれぞれの期間の間に所定の期間が設けられていることが記載されている。
　上記（ア）−（タ）の記載事項から、以下の事項が導かれる。
（１−ａ）上記（ア）【００１６】には、遊技機本体３には、遊技球が転動流下する遊技領域１４が形成される遊技盤７が取付けられていることが、上記（ウ）【００２４】には、普通電動役物１８の内部を特別図柄始動領域２０とすることが、上記（エ）【００２７】には、所定の要件が充足されると主制御用中央制御装置ＣＰＵが各乱数テーブルから乱数値を取得することが、上記（カ）【００４４】、【００４５】には、図４に示されるように、パチンコ遊技機１の制御処理は、メインルーチンと複数のサブルーチンとで構成され、主制御基板６０の主制御用中央制御装置ＣＰＵは、始動口処理を実行することが、上記（キ）【００４６】、【００４７】には、始動口処理において、遊技球が発射装置より遊技領域１４に発射され、この遊技球が特別図柄始動領域２０を通過すると、主制御用中央制御装置ＣＰＵが、それを契機として、記憶装置ＲＡＭに累積して記憶保持される特別図柄始動記憶の数を判定し、特別図柄始動記憶数ＵがＵ≦４であると、記憶装置ＲＯＭに格納されている大当り特別乱数テーブルから、大当り特別乱数値Ｋを取得することが、上記（キ）【００４９】には、大当り特別乱数値Ｋが、「大当り」であることの判定に用いられていることが、それぞれ、記載されている。
　そうすると、刊行物１には、遊技盤７上の遊技領域１４に発射された遊技球が特別図柄始動領域２０を通過する毎に、「大当り」であることの判定に用いられる大当り特別乱数値Ｋを取得する主制御用中央制御装置ＣＰＵが記載されているといえる。
（１−ｂ）上記（１−ａ）を参照すると、上記（キ）【００４６】−【００４９】には、主制御用中央制御装置ＣＰＵがおこなう始動口処理において、主制御基板６０の主制御用中央制御装置ＣＰＵが、取得した大当り特別乱数値Ｋを判定するための高確率用判定データまたは低確率用判定データをセットし、大当り特別乱数値Ｋが、セットした判定データと同一であるか否かを判定し、判定データと同一であると、取得し、判定した大当り特別乱数値Ｋの内容が「大当り」であることを示す大当りフラグをＯＮとすることが記載されている。
　したがって、刊行物１には、大当り特別乱数値Ｋが取得されると、当該大当り特別乱数値Ｋの内容が「大当り」であるか否かを始動口処理において判定する主制御用中央制御装置ＣＰＵが記載されているといえる。
（１−ｃ）上記（カ）【００４４】、【００４５】には、主制御基板６０の主制御用中央制御装置ＣＰＵは、図柄処理を実行することが、上記（キ）【００４９】には、大当り特別乱数値Ｋが、セットした判定データと同一であるか否かを判定し、大当り特別乱数値Ｋが判定データと同一であると、大当りフラグをＯＮとすることが、上記（ク）【００５３】−【００５５】には、図柄処理において、特別図柄Ａ，Ｂ，Ｃが変動中でない場合は、記憶装置ＲＡＭに特別図柄始動記憶が記憶保持されているか否かを判定し、記憶保持されている場合（特別図柄始動記憶数Ｕ≧１）は記憶保持した特別図柄始動記憶を記憶順に一個記憶消化し、特別図柄始動記憶が記憶保持されていない場合（Ｕ＝０）は、そのまま処理を続行し、次に、主制御基板６０の主制御用中央制御装置ＣＰＵは、大当りフラグがＯＮであるか否かを判定することが、それぞれ、記載されている。
　したがって、刊行物１には、取得された大当り特別乱数値Ｋに基づいて、特別図柄始動記憶の記憶順に順次大当りフラグがＯＮであるか否か、すなわち「大当り」であるか否かを図柄処理において判定する主制御用中央制御装置ＣＰＵが記載されている。
（１−ｄ）上記（ク）【００５３】、【００５５】には、図柄処理において、主制御基板６０の主制御用中央制御装置ＣＰＵは、大当りフラグがＯＮであるか否かを判定した後に変動パターン選択処理に移行することが、上記（ケ）【００５６】−【００５８】には、変動パターン選択処理において、大当りフラグがＯＮであるか否かを判定し、変動パターンを選択し、図柄生成行程の変動パターンとして選択した変動パターンをセットし、変動パターン選択処理を終了することが、上記（サ）【００７１】には、変動パターン選択処理を終了すると、主制御基板６０の主制御用中央制御装置ＣＰＵは、変動パターン選択処理によりセットした変動パターンのデータを図柄表示制御基板６２に出力することが、上記（シ）【００７２】には、主制御基板６０の主制御用中央制御装置ＣＰＵは、特別図柄Ａ，Ｂ，Ｃを変動開始する変動開始コマンドを図柄表示基板６２に出力し、図柄表示制御基板６２は、かかるコマンドが入力されると、記憶装置ＲＯＭや記憶装置ＲＡＭの記憶データを用いて図柄制御用中央制御装置ＣＰＵにて演算処理を行い、その結果に従って表示用ドライバを介して図柄表示装置１６の図柄表示領域１７で特別図柄Ａ，Ｂ，Ｃを変動表示を開始して、取得した大当り特別乱数値Ｋの当り・ハズレ結果に従って特別図柄Ａ，Ｂ，Ｃの組合せ態様を確定表示する図柄生成行程を実行し、所定の変動時間経過後に変動停止コマンドを出力して特別図柄Ａ，Ｂ，Ｃを停止することが、それぞれ、記載されている。
　したがって、刊行物１には、主制御用中央制御装置ＣＰＵによって「大当り」であるか否かを図柄処理において判定する毎に、特別図柄の変動表示を開始させてから大当り特別乱数値Ｋの当り・ハズレ結果に従って特別図柄Ａ，Ｂ，Ｃの組合せ態様を確定表示して停止させる図柄制御用中央制御装置ＣＰＵが記載されている。
（１−ｅ）上記（オ）【００３８】−【００４２】には、主制御用中央制御装置ＣＰＵは、所定の形式で生成したデータ又はコマンドを図柄表示制御基板６２、音源制御基板６３、光源制御基板６４にそれぞれ出力し、各制御基板６２，６３，６４の中央制御装置ＣＰＵがこのデータ等に従って所定の制御を処理実行することが記載されている。
　したがって、刊行物１には、所定の制御を処理実行する図柄表示制御基板６２、音源制御基板６３、光源制御基板６４それぞれの中央制御装置ＣＰＵが記載されている。
（１−ｆ）上記（シ）【００７２】には、図柄制御用中央制御装置ＣＰＵは、特別図柄Ａ，Ｂ，Ｃの変動表示を開始させ、所定の変動時間経過後に特別図柄Ａ，Ｂ，Ｃを停止することが記載されている。
　特別図柄Ａ，Ｂ，Ｃを停止した後、次の変動開始まで所定の期間を有することは明らかである。
　したがって、刊行物１には、図柄制御用中央制御装置ＣＰＵは、特別図柄Ａ，Ｂ，Ｃの停止後に所定の期間が経過してから次の特別図柄Ａ，Ｂ，Ｃの変動を開始させることが記載されている。
（１−ｇ）上記（１−ｅ）で述べたとおり、刊行物１には、所定の制御を処理実行する図柄表示制御基板６２、音源制御基板６３、光源制御基板６４それぞれの中央制御装置ＣＰＵが記載されている。
　また、上記（オ）【００４０】には、図柄表示制御基板６２は、主制御基板６０から入力ポートを介して入力されたデータ又はコマンドを図柄制御用中央制御装置ＣＰＵにおいて演算処理し、所定の図柄表示態様を演出する図柄データを、出力ポートを介して表示用ドライバに出力し、この表示用ドライバが、図柄データに従って図柄表示装置１６の図柄表示領域１７に所定の図柄を所定態様で表出させること、この図柄表示制御基板６２により、図柄表示装置１６で図柄生成行程を実行する図柄制御手段が構成されることが、上記（セ）【０１１０】−【０１１３】には、連続予告演出動作にかかる一番目の図柄生成行程が実行開始されると、第一予告用ランプ４０のみが点滅開始され、二番目の図柄生成行程が実行開始されると、第一予告用ランプ４０と第二予告用ランプ４１が点滅し、三番目の図柄生成行程が実行開始されると、第一予告用ランプ４０、第二予告用ランプ４１、及び第三予告用ランプ４２とが点滅開始し、四番目の図柄生成行程が実行開始されると、第一予告用ランプ４０、第二予告用ランプ４１、第三予告用ランプ４２、及び第四予告用ランプ４３とが点滅開始することが、上記（ソ）【０１１６】には、予見演出動作としては、大当り予告が提案されることが、それぞれ、記載されている。
　ここで、連続予告演出動作は、一番目の図柄生成行程から、四番目の図柄生成行程まで複数回の図柄生成行程に亘って連続していると云える。
　したがって、刊行物１には、図柄表示制御基板６２、音源制御基板６３、光源制御基板６４それぞれの中央制御装置ＣＰＵは、複数回の図柄生成行程に亘って連続可能な連続予告演出動作と、大当り予告とをすることが記載されている。
（１−ｈ）上記（キ）【００４６】、【００４９】には、始動口処理において、大当り特別乱数値Ｋが、セットした判定データと同一であるか否かを判定し、大当り特別乱数値Ｋが判定データと同一であると、大当りフラグをＯＮとし、大当りフラグをＯＮとすると、連続予告演出動作を実行するか否かを定める連続予告選択乱数値Ｊを連続予告選択乱数テーブルから取得し、格納し、そして、大当り用判定データをセットすることが、上記（キ）【００５１】には、大当り用又はハズレ用判定データをセットすると、次に、連続予告演出動作を実行するか否かを判定し、連続予告選択乱数値Ｊが判定用データと一致した場合は、連続予告演出動作を実行すると決定することが、上記（コ）【００６８】には、図９を参照して、特別図柄始動記憶オに連続予告演出動作を実行する内容が割り当てられると、特別図柄始動記憶オに基づく図柄生成行程オ’まで連続予告演出動作を実行することが、上記（ソ）【０１１６】には、予見演出動作としては、大当り予告が提案されることが、それぞれ、記載されている。
　上記（１−ｇ）を参照すると、刊行物１には、図柄表示制御基板６２の中央制御装置ＣＰＵは、複数回の図柄生成行程に亘って連続可能な連続予告演出動作をすることが、記載されている。
　したがって、刊行物１には、「大当り」になるか否かを始動口処理において判定する主制御用中央制御装置ＣＰＵによって「大当り」とされた場合、連続予告演出動作を実行すると決定された特別図柄始動記憶オに基づく図柄生成行程オ’を実行するまでの複数回の図柄生成行程に亘って連続する連続予告演出動作を実行可能であるとともに、大当り予告をすることが記載されている。
（１−ｉ）上記（エ）【００２７】には、パチンコ遊技機１が記載され、上記（キ）【００４６】、【００４９】、【００５０】には、始動口処理において、大当り特別乱数値Ｋが、セットした判定データと同一であるか否かを判定し、「大当り」でない場合は、取得したリーチ乱数値Ｎを判定し、リーチ変動作動を実行するか否かを決め、リーチ変動作動を実行する場合、リーチフラグをＯＮとした後、連続予告選択乱数値Ｊを取得・格納し、ハズレ用判定データをセットすることが、上記（キ）【００５１】には、大当り用又はハズレ用判定データをセットすると、次に、連続予告演出動作を実行するか否かを判定し、連続予告選択乱数値Ｊが判定用データと一致した場合は、連続予告演出動作を実行すると決定することが、上記（コ）【００６８】には、図９を参照して、特別図柄始動記憶オに連続予告演出動作を実行する内容が割り当てられると、特別図柄始動記憶オに基づく図柄生成行程オ’まで連続予告演出動作を実行することが、上記（ソ）【０１１６】には、予見演出動作としては、大当り予告を提案することが、それぞれ、記載されている。
　上記（１−ｇ）を参照すると、刊行物１には、図柄表示制御基板６２の中央制御装置ＣＰＵは、複数回の図柄生成行程に亘って連続可能な連続予告演出動作をすることが、記載されている。
　したがって、刊行物１には、「大当り」になるか否かを始動口処理において判定する主制御用中央制御装置ＣＰＵによって「大当り」でない場合、連続予告演出動作を実行すると決定された特別図柄始動記憶オに基づく図柄生成行程オ’を実行するまでの複数回の図柄生成工程に亘って連続する連続予告演出動作を実行可能であるとともに、大当り予告をするパチンコ遊技機１が記載されている。
　以上、上記（ア）−（タ）の記載事項及び上記（１−ａ）−（１−ｉ）の認定事項を総合すれば、刊行物１には、以下の発明（以下、「引用発明１」という。）が記載されている（ａ−ｉは発明の構成を分説するため当審で付与した。）。
「ａ　遊技盤７上の遊技領域１４に発射された遊技球が特別図柄始動領域２０を通過する毎に、「大当り」であることの判定に用いられる大当り特別乱数値Ｋを取得する主制御用中央制御装置ＣＰＵと、
ｂ　大当り特別乱数値Ｋが取得されると、当該大当り特別乱数値Ｋの内容が「大当り」であるか否かを始動口処理において判定する主制御用中央制御装置ＣＰＵと、
ｃ　取得された大当り特別乱数値Ｋに基づいて、特別図柄始動記憶の記憶順に順次大当りフラグがＯＮであるか否か、すなわち「大当り」であるか否かを図柄処理において判定する主制御用中央制御装置ＣＰＵと、
ｄ　主制御用中央制御装置ＣＰＵによって「大当り」であるか否かを図柄処理において判定する毎に、特別図柄の変動表示を開始させてから大当り特別乱数値Ｋの当り・ハズレ結果に従って特別図柄の組合せ態様を確定表示して停止させる図柄制御用中央制御装置ＣＰＵと、
ｅ　所定の制御を処理実行する図柄表示制御基板６２、音源制御基板６３、光源制御基板６４それぞれの中央制御装置ＣＰＵと、を備え、
ｆ　図柄制御用中央制御装置ＣＰＵは、特別図柄の停止後に所定の期間が経過してから次の特別図柄の変動を開始させ、
ｇ　図柄表示制御基板６２、音源制御基板６３、光源制御基板６４それぞれの中央制御装置ＣＰＵは、複数回の図柄生成行程に亘って連続可能な連続予告演出動作と、大当り予告とをするものであり、
ｈ　「大当り」になるか否かを始動口処理において判定する主制御用中央制御装置ＣＰＵによって「大当り」とされた場合、連続予告演出動作を実行すると決定された特別図柄始動記憶オに基づく図柄生成行程オ’を実行するまでの複数回の図柄生成行程に亘って連続する連続予告演出動作を実行可能であるとともに、大当り予告をする一方、
ｉ　「大当り」になるか否かを始動口処理において判定する主制御用中央制御装置ＣＰＵによって「大当り」でない場合、連続予告演出動作を実行すると決定された特別図柄始動記憶オに基づく図柄生成行程オ’を実行するまでの複数回の図柄生成工程に亘って連続する連続予告演出動作を実行可能であるとともに、大当り予告をするパチンコ遊技機１。」
（２−２）刊行物２
　原査定の拒絶の理由に引用された本願の出願日前に頒布された刊行物である特開２００７―２８９３６２号公報（以下、「刊行物２」という。）には、図面と共に次の事項が記載されている（下線は当審で付した。）。
（チ）「【００３６】可変表示装置９の下方には、
第１始動入賞口１３を有する入賞装置が設けられている。第１始動入賞口１３に入賞した遊技球は、遊技盤６の背面に導かれ、第１始動口スイッチ１３ａによって検出される。
（ツ）「【００３７】 また、第１始動入賞口１３を有する入賞装置の下方には、
遊技球が入賞可能な第２始動入賞口（第２始動口：始動口Ｂ）１４を有する可変入賞球装置１５が設けられている。第２始動入賞口１４に入賞した遊技球は、遊技盤６の背面に導かれ、第２始動口スイッチ１４ａによって検出される。
（テ）「【００８５】  図１０は、各乱数を示す説明図である。各乱数は、以下のように使用される。
（１）ランダム１：
第１始動入賞口への遊技球の入賞（第１始動入賞）にもとづく第１特別図柄の可変表示に応じて（または、第２始動入賞口への遊技球の入賞（第２始動入賞）にもとづく第２特別図柄の可変表示に応じて）、大当りを発生させるか否か（または、大当りとするか小当りとするか）決定する（大当り判定用）
（３）対比
　本願補正発明と引用発明１とを対比する。なお、見出しは（ａ）−（ｉ）とし、本願補正発明、引用発明１の分説に対応させている。
（ａ）引用発明１の「遊技盤７」、「遊技領域１４」は、それぞれ、本願補正発明の「遊技盤」、「遊技領域」に相当する。
　また、引用発明１の「特別図柄始動領域２０」と、本願補正発明の「第１始動口」および「第２始動口」は、始動口である点で共通しているから、引用発明１の「特別図柄始動領域２０を通過する毎」と、本願補正発明の「第１始動口および当該第１始動口とは異なる第２始動口へ入賞する毎」は、「始動口へ入賞する毎」の点で共通する。
　そして、引用発明１の「「大当り」であることの判定」、「大当り特別乱数値Ｋ」は、それぞれ、本願補正発明の「大当たり抽選」、「乱数」に相当する。
　そうすると、引用発明１の「大当り」であることの判定に用いられる大当り特別乱数値Ｋを取得する「主制御用中央制御装置ＣＰＵ」は、本願補正発明の「取得手段」としての機能を有する。
　したがって、引用発明１の「遊技盤７上の遊技領域１４に発射された遊技球が特別図柄始動領域２０を通過する毎に、「大当り」であることの判定に用いられる大当り特別乱数値Ｋを取得する主制御用中央制御装置ＣＰＵ」と、本願補正発明の構成Ａとは、「遊技盤上の遊技領域に発射された遊技球が始動口へ入賞する毎に、大当たり抽選に用いられる乱数を取得する取得手段」である点で共通する。　
（ｂ）引用発明１の「大当り特別乱数値Ｋ」は、本願補正発明の「乱数」に相当する。
　また、引用発明１の「「大当り」であるか否かを始動口処理において判定する」ことは、本願補正発明の「大当たり抽選で大当たりとなるか否かを事前判定する」ことに相当する。
　そうすると、引用発明１の「大当り」であるか否かを始動口処理において判定する「主制御用中央制御装置ＣＰＵ」は、本願補正発明の「事前判定手段」としての機能を有する。
　したがって、引用発明１の「大当り特別乱数値Ｋが取得されると、当該大当り特別乱数値Ｋの内容が「大当り」であるか否かを始動口処理において判定する主制御用中央制御装置ＣＰＵ」は、本願補正発明の「前記取得手段によって乱数が取得されると、当該乱数が用いられる前記大当たり抽選で大当たりとなるか否かを事前判定する事前判定手段」としての機能を有する。
（ｃ）引用発明１の「大当り特別乱数値Ｋ」は、本願補正発明の「乱数」に相当する。
　また、引用発明１の「特別図柄始動記憶の記憶順」は、本願補正発明の「予め定められた所定の順序にしたが」うことに相当する。
　そして、引用発明１の「大当りフラグがＯＮであるか否か、すなわち「大当り」であるか否かを図柄処理において判定する」ことは、本願補正発明の「大当たり抽選をおこなう」ことに相当する。
　そうすると、引用発明１の「大当り」であるか否かを図柄処理において判定する「主制御用中央制御装置ＣＰＵ」は、本願補正発明の「抽選手段」としての機能を有する。
　したがって、引用発明１の「取得された大当り特別乱数値Ｋに基づいて、特別図柄始動記憶の記憶順に順次大当りフラグがＯＮであるか否か、すなわち「大当り」であるか否かを図柄処理において判定する主制御用中央制御装置ＣＰＵ」は、本願補正発明の「前記取得手段によって取得された乱数に基づいて、予め定められた所定の順序にしたがって順次前記大当たり抽選をおこなう抽選手段」としての機能を有する。
（ｄ）引用発明１の「主制御用中央制御装置ＣＰＵによって「大当り」であるか否かを図柄処理において判定する毎」は、本願補正発明の「前記抽選手段によって前記大当たり抽選がおこなわれる毎」に相当する。
　また、引用発明１の「特別図柄の変動表示を開始させてから大当り特別乱数値Ｋの当り・ハズレ結果に従って特別図柄の組合せ態様を確定表示して停止させる」ことは、本願補正発明の「特別図柄を変動させてから当該大当たり抽選の抽選結果をあらわすように停止させる」ことに相当する。
　そうすると、引用発明１の「図柄制御用中央制御装置ＣＰＵ」は、本願補正発明の「特別図柄制御手段」としての機能を有する。
　したがって、引用発明１の「主制御用中央制御装置ＣＰＵによって「大当り」であるか否かを図柄処理において判定する毎に、特別図柄の変動表示を開始させてから大当り特別乱数値Ｋの当り・ハズレ結果に従って特別図柄の組合せ態様を確定表示して停止させる図柄制御用中央制御装置ＣＰＵ」は、本願補正発明の「前記抽選手段によって前記大当たり抽選がおこなわれる毎に、特別図柄を変動させてから当該大当たり抽選の抽選結果をあらわすように停止させる特別図柄制御手段」としての機能を有する。
（ｅ）引用発明１の「所定の制御を処理実行する」ことは、図柄表示制御基板６２、音源制御基板６３、光源制御基板６４それぞれの中央制御装置ＣＰＵにおいて、表示、音、光による演出処理が実行されることは明らかであるから、本願補正発明の「所定の演出を実行可能」であることに相当する。
　そうすると、引用発明１の「図柄表示制御基板６２、音源制御基板６３、光源制御基板６４それぞれの中央制御装置ＣＰＵ」は、本願補正発明の「演出実行手段」に相当する。
　したがって、引用発明１の「所定の制御を処理実行する図柄表示制御基板６２、音源制御基板６３、光源制御基板６４それぞれの中央制御装置ＣＰＵ」は、本願補正発明の「所定の演出を実行可能な演出実行手段」に相当する。
（ｆ）引用発明１の「図柄制御用中央制御装置ＣＰＵ」は、本願補正発明の「特別図柄制御手段」としての機能を有する。
　また、引用発明１の「所定の期間」は、特別図柄の変動と変動との間の所定の間隔を有する期間のことであるから、本願補正発明の「所定のインターバル期間」に相当する。
　したがって、引用発明１の「図柄制御用中央制御装置ＣＰＵは、特別図柄の停止後に所定の期間が経過してから次の特別図柄の変動を開始させ」る点は、本願補正発明の「前記特別図柄制御手段は、前記特別図柄の停止後に所定のインターバル期間が経過してから次の前記特別図柄の変動をおこな」う点に相当する。
（ｇ）上記（ｅ）より、引用発明１の「図柄表示制御基板６２、音源制御基板６３、光源制御基板６４それぞれの中央制御装置ＣＰＵ」は、本願補正発明の「演出実行手段」としての機能を有する。
　上記（イ）【００１９】の「特別図柄始動条件が成立すると、特別図柄Ａ，Ｂ，Ｃを変動後停止して特別図柄Ａ，Ｂ，Ｃの組合せ態様を確定表示する一連の図柄生成行程が表示実行される。」の記載から、引用発明１の「図柄生成行程」は、本願補正発明の「特別図柄の変動」に相当する。
　また、上記（ｆ）より、複数回の変動の間に所定のインターバル期間が経過していることは明らかであるから、引用発明１の「複数回の図柄生成行程に亘って連続可能」は、本願補正発明の「前記特別図柄の複数回の変動を跨いで継続可能」に相当する。
　よって、引用発明１の「連続予告演出動作」は、本願補正発明の「継続演出」に相当する。
　そして、引用発明１の「大当り予告」は、本願補正発明の「大当たりとなることを報知する大当たり報知演出」に相当する。
　　したがって、引用発明１の「図柄表示制御基板６２、音源制御基板６３、光源制御基板６４それぞれの中央制御装置ＣＰＵは、特別図柄の複数回の変動に亘って連続可能な連続予告演出動作と、大当り予告とをする」点は、本願補正発明の「前記演出実行手段は、前記特別図柄の複数回の変動を跨いで継続可能な継続演出と、大当たりとなることを報知する大当たり報知演出とを実行可能」である点に相当する。
（ｈ）上記（ｂ）より、引用発明１の「「大当り」になるか否かを始動口処理において判定する主制御用中央制御装置ＣＰＵ」は、本願補正発明の「事前判定手段」としての機能を有する。
　したがって、引用発明１の「「大当り」になるか否かを始動口処理において判定する主制御用中央制御装置ＣＰＵによって「大当り」とされた場合」は、本願補正発明の「前記事前判定手段によって大当たりとなると判定された場合」に相当する。
　また、引用発明１の「図柄生成行程」は、上記（ｇ）より、本願補正発明の「特別図柄の変動」に相当する。
　そして、上記（ｆ）で検討のとおり、引用発明１においても、複数回の変動の間にはインターバル期間を有するものである。
　そうすると、引用発明１の「連続予告演出動作を実行すると決定された特別図柄始動記憶に基づく図柄生成行程を実行するまでの複数回の図柄生成工程に亘って連続する」ことは、本願補正発明の「当該大当たりとなる乱数が用いられた前記大当たり抽選による前記特別図柄の変動（以下「大当たり変動」という）までの複数回の変動および当該複数回の変動間の前記インターバル期間において継続する」ことに相当する。
　よって、引用発明１の「連続予告演出動作」は、本願補正発明の「継続演出」に相当する。
　そして、上記（ｇ）で検討のとおり、引用発明１の「大当り予告」は、本願補正発明の「大当たりとなることを報知する大当たり報知演出」に相当し、引用発明１の図柄表示制御基板６２、音源制御基板６３、光源制御基板６４それぞれの中央制御装置ＣＰＵは、連続予告演出動作と大当り予告とを実行可能なものであるから、連続予告演出動作を実行した場合に、大当り予告を実行可能であることは明らかである。
　そうすると、引用発明１の「大当り予告をする」ことは、本願補正発明の「当該継続演出を実行した場合には、前記大当たり報知演出を実行可能である」ことに相当する。
　よって、引用発明１の「「大当り」になるか否かを始動口処理において判定する主制御用中央制御装置ＣＰＵによって「大当り」とされた場合、連続予告演出動作を実行すると決定された特別図柄始動記憶に基づく図柄生成行程を実行するまでの複数回の図柄生成行程に亘って連続する連続予告演出動作を実行可能であるとともに、大当り予告をする」ことと、本願補正発明の構成Ｈとは、「前記事前判定手段によって大当たりとなると判定された場合、当該大当たりとなる乱数が用いられた前記大当たり抽選による前記特別図柄の変動（以下「大当たり変動」という）までの複数回の変動および当該複数回の変動間の前記インターバル期間において継続する前記継続演出を実行可能であるとともに、当該継続演出を実行した場合には、前記大当たり報知演出を実行可能である」点で共通する。
（ｉ）上記（ｂ）より、引用発明１の「「大当り」になるか否かを始動口処理において判定する主制御用中央制御装置ＣＰＵ」は、本願補正発明の「事前判定手段」としての機能を有する。
　したがって、引用発明１の「「大当り」になるか否かを始動口処理において判定する主制御用中央制御装置ＣＰＵによって「大当り」でない場合」は、本願補正発明の「前記事前判定手段によって大当たりとならない判定された場合」に相当する。
　また、引用発明１の「図柄生成行程」は、上記（ｈ）より、本願補正発明の「特別図柄の変動」に相当する。
　そして、上記（ｆ）で検討のとおり、引用発明１においても、複数回の変動の間にはインターバル期間を有するものである。
　そうすると、引用発明１の「連続予告演出動作を実行すると決定された特別図柄始動記憶に基づく図柄生成行程を実行するまでの複数回の図柄生成工程に亘って連続する」ことは、本願補正発明の「当該大当たりとなる乱数が用いられた前記大当たり抽選による前記特別図柄の変動（以下「大当たり変動」という）までの複数回の変動および当該複数回の変動間の前記インターバル期間において継続する」ことに相当する。
　よって、引用発明１の「連続予告演出動作」は、本願補正発明の「継続演出」に相当する。
　そして、上記（ｇ）で検討のとおり、引用発明１の「大当り予告」は、本願補正発明の「大当たりとなることを報知する大当たり報知演出」に相当し、引用発明１の図柄表示制御基板６２、音源制御基板６３、光源制御基板６４それぞれの中央制御装置ＣＰＵは、連続予告演出動作と大当り予告とを実行可能なものであるから、連続予告演出動作を実行した場合に、大当り予告を実行可能であることは明らかである。
　そうすると、引用発明１の「大当り予告をする」ことは、「当該継続演出を実行した場合には、前記大当たり報知演出を実行可能である」ことであり、これは、本願補正発明の「継続演出を実行した場合には、大当たり報知演出を実行不可能である」ことを含むものである。
　また、引用発明１の「パチンコ遊技機１」は、本願補正発明の「遊技機」に相当する。
　よって、引用発明１の「「大当り」になるか否かを始動口処理において判定する主制御用中央制御装置ＣＰＵによって「大当り」でない場合、連続予告演出動作を実行すると決定された特別図柄始動記憶に基づく図柄生成行程を実行するまでの複数回の図柄生成工程に亘って連続する連続予告演出動作を実行可能であるとともに、大当り予告をするパチンコ遊技機１」は、本願補正発明の構成Ｉと、「前記事前判定手段によって大当たりとならないと判定された場合、当該大当たりとならない乱数が用いられた前記大当たり抽選による前記特別図柄の変動（以下「非大当たり変動」という）までの複数回の変動および当該複数回の変動間の前記インターバル期間において継続する前記継続演出を実行可能であるとともに、当該継続演出を実行した場合には、前記大当たり報知演出を実行不可能である遊技機」の点で共通する。
　上記（ａ）−（ｉ）により、本願補正発明と引用発明１とは、
［一致点］
Ａ’ 遊技盤上の遊技領域に発射された遊技球が始動口へ入賞する毎に、大当たり抽選に用いられる乱数を取得する取得手段と、　
Ｂ　前記取得手段によって乱数が取得されると、当該乱数が用いられる前記大当たり抽選で大当たりとなるか否かを事前判定する事前判定手段と、
Ｃ　前記取得手段によって取得された乱数に基づいて、予め定められた所定の順序にしたがって順次前記大当たり抽選をおこなう抽選手段と、
Ｄ　前記抽選手段によって前記大当たり抽選がおこなわれる毎に、特別図柄を変動させてから当該大当たり抽選の抽選結果をあらわすように停止させる特別図柄制御手段と、
Ｅ　所定の演出を実行可能な演出実行手段と、を備え、
Ｆ　前記特別図柄制御手段は、
前記特別図柄の停止後に所定のインターバル期間が経過してから次の前記特別図柄の変動をおこない、
Ｇ　前記演出実行手段は、
前記特別図柄の複数回の変動を跨いで継続可能な継続演出と、大当たりとなることを報知する大当たり報知演出とを実行可能であり、
Ｈ’ 前記事前判定手段によって大当たりとなると判定された場合、当該大当たりとなる乱数が用いられた前記大当たり抽選による前記特別図柄の変動（以下「大当たり変動」という）までの複数回の変動および当該複数回の変動間の前記インターバル期間において継続する前記継続演出を実行可能であるとともに、当該継続演出を実行した場合には、前記大当たり報知演出を実行可能である一方、
Ｉ’ 前記事前判定手段によって大当たりとならないと判定された場合、当該大当たりとならない乱数が用いられた前記大当たり抽選による前記特別図柄の変動（以下「非大当たり変動」という）までの複数回の変動および当該複数回の変動間の前記インターバル期間において継続する前記継続演出を実行可能であるとともに、当該継続演出を実行した場合には、前記大当たり報知演出を実行不可能である遊技機。
　である点で一致し、以下の点で相違する。
［相違点１］
　始動口について、本願補正発明は、「第１始動口および当該第１始動口とは異なる第２始動口」を有しているのに対して、引用発明１は、始動口についてそのように特定されていない点。
［相違点２］
　演出実行手段について、事前判定手段によって大当たりとなると判定され、継続演出を実行した場合には、本願補正発明は、大当たり変動において大当たり報知演出を実行可能であるのに対し、引用発明１では、大当たり報知演出についてそのような特定がされていない点。
［相違点３］
　演出実行手段について、事前判定手段によって大当たりとならないと判定され、継続演出を実行した場合には、本願補正発明は、非大当たり変動において大当たり報知演出を実行不可能であるとしているのに対し、引用発明１では、大当たり報知演出についてそのような特定がされていない点。
（４）判断
　上記相違点について検討する。
ア　相違点１について
　刊行物２の上記（チ）【００３６】、（ツ）【００３７】、（テ）【００８５】には、遊技盤上に、第１始動入賞口及び第１始動入賞口とは異なる第２始動入賞口を有する点が記載されている。引用発明１の始動口も、刊行物２に記載の第１始動入賞口および第２始動入賞口も、いずれも遊技球の入賞に基づき大当たり判定がなされるものであることから、引用発明１の始動口に代えて、刊行物２に記載された、第１始動口および当該第１始動口とは異なる第２始動口を有する構成を適用することは、当業者が容易に想到し得るものである。
　したがって、引用発明１と刊行物２に記載された技術事項から、上記相違点１に係る本願補正発明の構成とすることは、当業者が容易になし得たことである。
　相違点２及び相違点３については、演出実行手段により実行される演出に関するもので、関連しているので、まとめて検討する。
イ　相違点２及び相違点３について
　遊技機の技術分野において、大当たり変動において大当たり報知演出を実行可能とし、非大当たり変動において大当たり報知演出を実行不可能とする点は、本願出願前に周知技術である（必要であれば、特開２００１−３４６９５３号公報（【００４７】、【００４８】等）を参照されたい。【００４８】「特定効果音が発生すれば、その後の特別遊技状態に対する信頼度は１００％となる。」の記載から、非大当たり変動において特定効果音が発生する大当たり報知演出が実行されないことは明らかである。）。引用発明１の大当たり報知演出も、周知技術も、いずれも大当たりであることを報知するものである。
　したがって、引用発明１の継続演出において実行される大当たり報知演出に上記周知技術を適用して、継続演出における大当たり変動において大当たり報知演出を実行可能とし、また、非大当たり変動において大当たり報知演出を実行不可能として、上記相違点２，３に係る本願補正発明の構成とすることは、当業者が容易になし得たことである。
ウ　本願補正発明の奏する作用効果について
　そして、本願補正発明の作用効果は、引用発明１及び刊行物２に記載された事項及び周知技術からみて、当業者の予測し得ない格別なものではない。
エ　審判請求人の主張について
　審判請求書において、請求人は、「本願発明は、このような構成を備えるため、継続演出を行っているインターバル期間において、次の変動時も継続演出が継続して行われることを遊技者に示唆することができ、「次の変動が大当たり変動かもしれない」といった遊技者の期待感を高めて、遊技を楽しませることができます。」と主張している。
　この主張について検討すると、引用発明１も、上記（ｈ）及び上記（ｉ）において検討したように、インターバル期間においても継続演出が継続して行われるものであるから、インターバル期間において、次の変動時も継続演出が継続して行われることを遊技者に示唆することができるものであり、その結果、遊技者の期待感を高めて、遊技を楽しませることができる効果を奏することは明らかである。
　よって、請求人の主張は採用できない。
オ　まとめ
　したがって、本願補正発明は引用発明１及び刊行物２に記載された事項及び周知技術に基づいて、当業者が容易に発明できたものであり、特許法第２９条第２項の規定に基づいて特許出願の際独立して特許を受けることができない。
４．むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
１．本願発明
　平成２８年９月１２日にされた手続補正は、上記第２のとおり却下されたので、本願の請求項１に係る発明（以下、「本願発明」という。）は、平成２７年１２月２２日付けの手続補正書により補正された、上記第２の１．で補正前として記載された次に特定されるとおりのものである（Ａ−Ｉについては、発明特定事項を分説するため当審で付与した。Ａ−Ｅ、Ｇについては、上記第２の３．（１）で本願補正発明として記載されたものと共通するので同一の符号を付与し、Ｈ１、Ｉ１については、Ｈ、Ｉとの共通構成を考慮して付与した。）。
「Ａ　遊技盤上の遊技領域に発射された遊技球が第１始動口および当該第１始動口とは異なる第２始動口へ入賞する毎に、大当たり抽選に用いられる乱数を取得する取得手段と、
Ｂ　前記取得手段によって乱数が取得されると、当該乱数が用いられる前記大当たり抽選で大当たりとなるか否かを事前判定する事前判定手段と、
Ｃ　前記取得手段によって取得された乱数に基づいて、予め定められた所定の順序にしたがって順次前記大当たり抽選をおこなう抽選手段と、
Ｄ　前記抽選手段によって前記大当たり抽選がおこなわれる毎に、特別図柄を変動させてから当該大当たり抽選の抽選結果をあらわすように停止させる特別図柄制御手段と、
Ｅ　所定の演出を実行可能な演出実行手段と、を備え、
Ｇ　前記演出実行手段は、
前記特別図柄の複数回の変動を跨いで継続可能な継続演出と、大当たりとなることを報知する大当たり報知演出とを実行可能であり、
Ｈ１　前記事前判定手段によって大当たりとなると判定された場合、当該大当たりとなる乱数が用いられた前記大当たり抽選による前記特別図柄の変動（以下「大当たり変動」という）までの複数回の変動を跨ぐ前記継続演出を実行可能であるとともに、当該継続演出を実行した場合には、前記大当たり変動において前記大当たり報知演出を実行可能である一方、
Ｉ１　前記事前判定手段によって大当たりとならないと判定された場合、当該大当たりとならない乱数が用いられた前記大当たり抽選による前記特別図柄の変動（以下「非大当たり変動」という）までの複数回の変動を跨ぐ前記継続演出を実行可能であるとともに、当該継続演出を実行した場合には、前記非大当たり変動において前記大当たり報知演出を実行不可能であることを特徴とする遊技機。」
２．刊行物に記載された事項
（１）刊行物１
　原査定の拒絶の理由に引用された刊行物１の記載事項は、上記第２の３．（２）（２−１）に記載したとおりである。
　上記の記載事項から以下の事項が導かれる。
（１−ａ〜ｅ）上記第２の３．（２）（２−１）（１−ａ〜ｅ）に記載したとおりである。
（１−ｇ）上記（１−ｅ）で述べたとおり、刊行物１には、所定の制御を処理実行する図柄表示制御基板６２、音源制御基板６３、光源制御基板６４それぞれの中央制御装置ＣＰＵが記載されている。
　また、上記（オ）【００４０】には、図柄表示制御基板６２は、主制御基板６０から入力ポートを介して入力されたデータ又はコマンドを図柄制御用中央制御装置ＣＰＵにおいて演算処理し、所定の図柄表示態様を演出する図柄データを、出力ポートを介して表示用ドライバに出力し、この表示用ドライバが、図柄データに従って図柄表示装置１６の図柄表示領域１７に所定の図柄を所定態様で表出させること、この図柄表示制御基板６２により、図柄表示装置１６で図柄生成行程を実行する図柄制御手段が構成されることが、上記（ス）【００８５】−【００９３】には、図柄生成行程実行中に、記憶保持される特別図柄始動記憶数Ｕが四個となり、次に、連続予告演出動作にかかる一番目の図柄生成行程が実行される際には、特別図柄始動記憶数Ｕが三個（Ｕ＝３）となって特別図柄Ａ，Ｂ，Ｃが変動開始され、一回目の予告演出動作が実行開始され、特別図柄Ａ，Ｂ，Ｃが順次停止すると、連続予告演出動作にかかる一回目の予告演出動作が終了し、三個の特別図柄始動記憶数Ｕが一個減算されて特別図柄始動記憶数Ｕが二個となると、同時に特別図柄Ａ，Ｂ，Ｃが変動開始し、新たな図柄生成行程が実行開始されると、二回目の予告演出動作が実行開始され、特別図柄Ａ，Ｂ，Ｃが順次停止すると、二回目の予告演出動作が終了し、二個の特別図柄始動記憶数Ｕが一個減算されて特別図柄始動記憶数Ｕが一個となると、同時に特別図柄Ａ，Ｂ，Ｃが変動開始し、新たな図柄生成行程が実行開始されると、三回目の予告演出動作が実行開始され、特別図柄Ａ，Ｂ，Ｃが順次停止すると、連続予告演出動作にかかる三回目の予告演出動作が終了し、一個の特別図柄始動記憶数Ｕが一個減算されて特別図柄始動記憶数Ｕが０個となると、同時に特別図柄Ａ，Ｂ，Ｃが変動開始し、新たな図柄生成行程が実行開始されると、四回目の予告演出動作が実行開始され、特別図柄Ａ，Ｂ，Ｃが順次停止すると、連続予告演出動作にかかる四回目の予告演出動作が終了し、これにより、連続予告演出動作が完了することが、上記（ソ）【０１１６】には、予見演出動作としては、大当り予告が提案されることが、それぞれ、記載されている。
　ここで、連続予告演出動作は、一回目の特別図柄Ａ，Ｂ，Ｃの変動開始から、四回目の特別図柄Ａ，Ｂ，Ｃの変動停止まで変動を亘って連続していると云える。
　したがって、刊行物１には、図柄表示制御基板６２、音源制御基板６３、光源制御基板６４それぞれの中央制御装置ＣＰＵは、複数回の図柄生成行程に亘って連続可能な連続予告演出動作と、大当り予告とをすることが記載されている。
（１−ｈ１）上記（キ）【００４６】、【００４９】には、始動口処理において、大当り特別乱数値Ｋが、セットした判定データと同一であるか否かを判定し、大当り特別乱数値Ｋが判定データと同一であると、大当りフラグをＯＮとし、大当りフラグをＯＮとすると、連続予告演出動作を実行するか否かを定める連続予告選択乱数値Ｊを連続予告選択乱数テーブルから取得し、格納し、そして、大当り用判定データをセットすることが、上記（キ）【００５１】には、大当り用又はハズレ用判定データをセットすると、次に、連続予告演出動作を実行するか否かを判定し、連続予告選択乱数値Ｊが判定用データと一致した場合は、連続予告演出動作を実行すると決定することが、上記（コ）【００６８】には、図９を参照して、特別図柄始動記憶オに連続予告演出動作を実行する内容が割り当てられると、特別図柄始動記憶オに基づく図柄生成行程オ’まで連続予告演出動作を実行することが、上記（ソ）【０１１６】には、予見演出動作としては、大当り予告が提案されることが、それぞれ、記載されている。
　上記（１−ｇ）を参照すると、刊行物１には、図柄表示制御基板６２の中央制御装置ＣＰＵは、複数回の図柄生成行程に亘って連続可能な連続予告演出動作をすることが、記載されている。
　したがって、刊行物１には、「大当り」になるか否かを始動口処理において判定する主制御用中央制御装置ＣＰＵによって「大当り」とされた場合、連続予告演出動作を実行すると決定された特別図柄始動記憶オに基づく図柄生成行程オ’を実行するまでの複数回の図柄生成行程に亘って連続する連続予告演出動作を実行可能であるとともに、大当り予告をすることが記載されている。
（１−ｉ１）上記（キ）【００４６】、【００４９】、【００５０】には、始動口処理において、大当り特別乱数値Ｋが、セットした判定データと同一であるか否かを判定し、「大当り」でない場合は、取得したリーチ乱数値Ｎを判定し、リーチ変動作動を実行するか否かを決め、リーチ変動作動を実行する場合、リーチフラグをＯＮとした後、連続予告選択乱数値Ｊを取得・格納し、ハズレ用判定データをセットすることが、上記（キ）【００５１】には、大当り用又はハズレ用判定データをセットすると、次に、連続予告演出動作を実行するか否かを判定し、連続予告選択乱数値Ｊが判定用データと一致した場合は、連続予告演出動作を実行すると決定することが、上記（コ）【００６８】には、図９を参照して、特別図柄始動記憶オに連続予告演出動作を実行する内容が割り当てられると、特別図柄始動記憶オに基づく図柄生成行程オ’まで連続予告演出動作を実行することが、上記（ソ）【０１１６】には、予見演出動作としては、大当り予告を提案することが、それぞれ、記載されている。
　上記（１−ｇ）を参照すると、刊行物１には、図柄表示制御基板６２の中央制御装置ＣＰＵは、複数回の図柄生成行程に亘って連続可能な連続予告演出動作をすることが、記載されている。
　したがって、刊行物１には、「大当り」になるか否かを始動口処理において判定する主制御用中央制御装置ＣＰＵによって「大当り」でない場合、連続予告演出動作を実行すると決定された特別図柄始動記憶オに基づく図柄生成行程オ’を実行するまでの複数回の図柄生成工程に亘って連続する連続予告演出動作を実行可能であるとともに、大当り予告をすることが記載されている。
　以上、上記第２の３．（２）（２−１）に記載したの記載事項及び上記（１−ａ）−（１−ｌ）の認定事項を総合すれば、刊行物１には、以下の発明（以下、「引用発明１’」という。）が記載されている（ａ−ｉ１は発明の構成を分説するため当審で付与した。ａ−ｅ，ｇについては、上記第２の３．（２）（２−１）で引用発明１として記載されたものと共通するので同一の符号を付与し、同一の符号を付与し、ｈ１、ｉ１については、ｈ、ｉとの共通構成を考慮して付与した。）。
「ａ　遊技盤７上の遊技領域１４に発射された遊技球が特別図柄始動領域２０を通過する毎に、「大当り」であることの判定に用いられる大当り特別乱数値Ｋを取得する主制御用中央制御装置ＣＰＵと、
ｂ　大当り特別乱数値Ｋが取得されると、当該大当り特別乱数値Ｋの内容が「大当り」であるか否かを始動口処理において判定する主制御用中央制御装置ＣＰＵと、
ｃ　取得された大当り特別乱数値Ｋに基づいて、特別図柄始動記憶の記憶順に順次大当りフラグがＯＮであるか否か、すなわち「大当り」であるか否かを図柄処理において判定する主制御用中央制御装置ＣＰＵと、
ｄ　主制御用中央制御装置ＣＰＵによって「大当り」であるか否かを図柄処理において判定する毎に、特別図柄の変動表示を開始させてから大当り特別乱数値Ｋの当り・ハズレ結果に従って特別図柄の組合せ態様を確定表示して停止させる図柄制御用中央制御装置ＣＰＵ
ｅ　所定の制御を処理実行する図柄表示制御基板６２、音源制御基板６３、光源制御基板６４それぞれの中央制御装置ＣＰＵと、を備え、
ｇ　図柄表示制御基板６２、音源制御基板６３、光源制御基板６４それぞれの中央制御装置ＣＰＵは、複数回の図柄生成行程に亘って連続可能な連続予告演出動作と、大当り予告とをするものであり、
ｈ１　「大当り」になるか否かを始動口処理において判定する主制御用中央制御装置ＣＰＵによって「大当り」とされた場合、連続予告演出動作を実行すると決定された特別図柄始動記憶に基づく図柄生成行程を実行するまでの複数回の図柄生成行程に亘って連続する連続予告演出動作を実行可能であるとともに、大当り予告をする一方、
ｉ１　「大当り」になるか否かを始動口処理において判定する主制御用中央制御装置ＣＰＵによって「大当り」でない場合、連続予告演出動作を実行すると決定された特別図柄始動記憶に基づく図柄生成行程を実行するまでの複数回の図柄生成工程に亘って連続する連続予告演出動作を実行可能であるとともに、大当り予告をするパチンコ遊技機１。」
（２）刊行物２
　原査定の拒絶の理由に引用された刊行物２の記載事項は、上記第２の３．（２）（２−２）に記載したとおりである。
３．対比
　本願発明と引用発明１’とを対比する。なお、見出しは（ａ）−（ｉ１）とし、本願発明、引用発明１’の分説に対応させている。
（ａ〜ｅ）上記第２の３．（３）（ａ〜ｅ）に記載したとおりである。
（ｇ）上記（ｅ）より、引用発明１’の「図柄表示制御基板６２、音源制御基板６３、光源制御基板６４それぞれの中央制御装置ＣＰＵ」は、本願発明の「演出実行手段」としての機能を有する。
　上記（イ）【００１９】の「特別図柄始動条件が成立すると、特別図柄Ａ，Ｂ，Ｃを変動後停止して特別図柄Ａ，Ｂ，Ｃの組合せ態様を確定表示する一連の図柄生成行程が表示実行される。」の記載から、引用発明１の「図柄生成行程」は、本願発明の「特別図柄の変動」に相当する。
　そして、特別図柄は変動後停止するものであることから、引用発明１’の「複数回の図柄生成行程に亘って連続可能」は、本願発明の「前記特別図柄の複数回の変動を跨いで継続可能」に相当する。
　よって、引用発明１’の「連続予告演出動作」は、本願発明の「継続演出」に相当する。
　また、引用発明１’の「大当り予告」は、本願発明の「大当たりとなることを報知する大当たり報知演出」に相当する。
　　したがって、引用発明１’の「図柄表示制御基板６２、音源制御基板６３、光源制御基板６４それぞれの中央制御装置ＣＰＵは、特別図柄の複数回の変動に亘って連続可能な連続予告演出動作と、大当たり予告とをする」点は、本願発明の「前記演出実行手段は、前記特別図柄の複数回の変動を跨いで継続可能な継続演出と、大当たりとなることを報知する大当たり報知演出とを実行可能」である点に相当する。
（ｈ１）上記（ｂ）より、引用発明１’の「「大当り」になるか否かを始動口処理において判定する主制御用中央制御装置ＣＰＵ」は、本願発明の「事前判定手段」としての機能を有する。
　したがって、引用発明１’の「「大当り」になるか否かを始動口処理において判定する主制御用中央制御装置ＣＰＵによって「大当り」とされた場合」は、本願発明の「前記事前判定手段によって大当たりとなると判定された場合」に相当する。
　また、引用発明１’の「図柄生成行程」は、上記（ｇ）より、本願発明の「特別図柄の変動」に相当する。
　そうすると、引用発明１’の「連続予告演出動作を実行すると決定された特別図柄始動記憶に基づく図柄生成行程を実行するまでの複数回の図柄生成工程に亘って連続する」ことは、本願発明の「当該大当たりとなる乱数が用いられた前記大当たり抽選による前記特別図柄の変動（以下「大当たり変動」という）までの複数回の変動を跨ぐ」ことに相当する。
　そして、上記（ｇ）で検討のとおり、引用発明１’の「連続予告演出動作」、「大当り予告」は、本願発明の「継続演出」、「大当たりとなることを報知する大当たり報知演出」に相当し、引用発明１’の図柄表示制御基板６２、音源制御基板６３、光源制御基板６４それぞれの中央制御装置ＣＰＵは、連続予告演出動作と大当り予告とを実行可能なものであるから、連続予告演出動作を実行した場合に、大当り予告を実行可能であることは明らかである。
　そうすると、引用発明１’の「大当り予告をする」ことは、本願発明の「当該継続演出を実行した場合には、前記大当たり報知演出を実行可能である」ことに相当する。
　よって、引用発明１’の「「大当り」になるか否かを始動口処理において判定する主制御用中央制御装置ＣＰＵによって「大当り」とされた場合、連続予告演出動作を実行すると決定された特別図柄始動記憶に基づく図柄生成行程を実行するまでの複数回の図柄生成行程に亘って連続する連続予告演出動作を実行可能であるとともに、大当り予告をする」ことと、本願発明の構成Ｈ１とは、「前記事前判定手段によって大当たりとなると判定された場合、当該大当たりとなる乱数が用いられた前記大当たり抽選による前記特別図柄の変動（以下「大当たり変動」という）までの複数回の変動および当該複数回の変動間の前記インターバル期間において継続する前記継続演出を実行可能であるとともに、当該継続演出を実行した場合には、前記大当たり報知演出を実行可能である」点で共通する。
（ｉ１）上記（ｂ）より、引用発明１’の「「大当り」になるか否かを始動口処理において判定する主制御用中央制御装置ＣＰＵ」は、本願発明の「事前判定手段」としての機能を有する。
　したがって、引用発明１’の「「大当り」になるか否かを始動口処理において判定する主制御用中央制御装置ＣＰＵによって「大当り」でない場合」は、本願発明の「前記事前判定手段によって大当たりとならない判定された場合」に相当する。
　また、引用発明１’の「図柄生成行程」は、上記（ｇ）より、本願発明の「特別図柄の変動」に相当する。
　そうすると、引用発明１’の「連続予告演出動作を実行すると決定された特別図柄始動記憶に基づく図柄生成行程を実行するまでの複数回の図柄生成工程に亘って連続する」ことは、本願発明の「当該大当たりとなる乱数が用いられた前記大当たり抽選による前記特別図柄の変動（以下「大当たり変動」という）までの複数回の変動を跨ぐ」ことに相当する。
　そして、上記（ｇ）で検討のとおり、引用発明１’の「連続予告演出動作」、「大当り予告」は、本願発明の「継続演出」、「大当たりとなることを報知する大当たり報知演出」に相当し、引用発明１’の図柄表示制御基板６２、音源制御基板６３、光源制御基板６４それぞれの中央制御装置ＣＰＵは、連続予告演出動作と大当り予告とを実行可能なものであるから、連続予告演出動作を実行した場合に、大当り予告を実行可能であることは明らかである。
　そうすると、引用発明１’の「大当り予告をする」ことは、「当該継続演出を実行した場合には、前記大当たり報知演出を実行可能である」ことであり、これは、本願発明の「継続演出を実行した場合には、大当たり報知演出を実行不可能である」ことを含むものである。
　また、引用発明１’の「パチンコ遊技機１」は、本願発明の「遊技機」に相当する。
　よって、引用発明１’の「「大当り」になるか否かを始動口処理において判定する主制御用中央制御装置ＣＰＵによって「大当り」でない場合、連続予告演出動作を実行すると決定された特別図柄始動記憶に基づく図柄生成行程を実行するまでの複数回の図柄生成工程に亘って連続する連続予告演出動作を実行可能であるとともに、大当り予告をするパチンコ遊技機１」は、本願発明の構成Ｉ１と、「前記事前判定手段によって大当たりとならないと判定された場合、当該大当たりとならない乱数が用いられた前記大当たり抽選による前記特別図柄の変動（以下「非大当たり変動」という）までの複数回の変動および当該複数回の変動間の前記インターバル期間において継続する前記継続演出を実行可能であるとともに、当該継続演出を実行した場合には、前記大当たり報知演出を実行不可能である遊技機」の点で共通する。
　上記（ａ）−（ｉ１）により、本願発明と引用発明１’とは、
［一致点］
Ａ’ 遊技盤上の遊技領域に発射された遊技球が始動口へ入賞する毎に、大当たり抽選に用いられる乱数を取得する取得手段と、　
Ｂ　前記取得手段によって乱数が取得されると、当該乱数が用いられる前記大当たり抽選で大当たりとなるか否かを事前判定する事前判定手段と、
Ｃ　前記取得手段によって取得された乱数に基づいて、予め定められた所定の順序にしたがって順次前記大当たり抽選をおこなう抽選手段と、
Ｄ　前記抽選手段によって前記大当たり抽選がおこなわれる毎に、特別図柄を変動させてから当該大当たり抽選の抽選結果をあらわすように停止させる特別図柄制御手段と、
Ｅ　所定の演出を実行可能な演出実行手段と、を備え、
Ｇ　前記演出実行手段は、
前記特別図柄の複数回の変動を跨いで継続可能な継続演出と、大当たりとなることを報知する大当たり報知演出とを実行可能であり、
Ｈ１’ 前記事前判定手段によって大当たりとなると判定された場合、当該大当たりとなる乱数が用いられた前記大当たり抽選による前記特別図柄の変動（以下「大当たり変動」という）までの複数回の変動を跨ぐ前記継続演出を実行可能であるとともに、当該継続演出を実行した場合には、前記大当たり報知演出を実行可能である一方、
Ｉ１’ 前記事前判定手段によって大当たりとならないと判定された場合、当該大当たりとならない乱数が用いられた前記大当たり抽選による前記特別図柄の変動（以下「非大当たり変動」という）までの複数回の変動を跨ぐ前記継続演出を実行可能であるとともに、当該継続演出を実行した場合には、前記大当たり報知演出を実行不可能である遊技機。
　である点で一致し、以下の点で相違する。
［相違点１］
　始動口について、本願発明は、「第１始動口および当該第１始動口とは異なる第２始動口」を有しているのに対して、引用発明１’は、始動口についてそのように特定されていない点。
［相違点２］
　演出実行手段について、事前判定手段によって大当たりとなると判定され、継続演出を実行した場合には、本願発明は、大当たり変動において大当たり報知演出を実行可能であるのに対し、引用発明１’では、大当たり報知演出についてそのような特定がされていない点。
［相違点３］
　演出実行手段について、事前判定手段によって大当たりとならないと判定され、継続演出を実行した場合には、本願発明は、非大当たり変動において大当たり報知演出を実行不可能であるとしているのに対し、引用発明１’では、大当たり報知演出についてそのような特定がされていない点。
４．判断
　上記各相違点についての検討は、上記第２の３．（４）に記載したとおりである。
　したがって、本願発明は、引用発明１’、すなわち刊行物１に記載された発明及び刊行物２に記載された事項及び周知技術に基づいて、当業者が容易に発明できたものである。
５．むすび
　以上のとおり、本願発明は、特許法第２９条第２項の規定により特許を受けることができない。
　よって、結論のとおり審決する。